(57)【要約】【課題】輸送物に関する各種情報の関連付けの間違いを減少させる。【解決手段】輸送物情報入力装置は、直方体状の輸送物の縦、横、高さ寸法と重量を測定する測定手段と、前記輸送物に設けられた識別番号を示すコード情報を読み取る識別番号読取手段と、前記輸送物に設けられ、少なくとも依頼主、送り先、物品名が文字情報として印刷されたシートの文字情報を読み取る文字読取手段と、読み取られた前記識別番号と前記文字情報と前記測定手段により測定した測定データとを表示する表示手段と、少なくとも前記表示手段が前記識別番号と前記文字情報と前記測定データとを表示する場合、有効な情報であると判定し１つの輸送物の輸送物情報として記憶手段に記憶させ、前記表示する前記識別番号、前記文字情報、前記測定データの何れかが不足している場合、何れかのデータが不足している旨を警告する報知を行う制御手段と、を備える。【選択図】図２
2014207009.tif 000002
【特許請求の範囲】
【請求項１】
輸送物の重量データ、あるいは寸法データを識別番号とともに輸送物情報として入力する輸送物情報入力装置において、
計量皿上に設けられた縦横用センサと計量皿の奥側に立設して設けられた高さ用センサにより計量皿上に載せた直方体状の輸送物の縦、横、高さ寸法と重量を測定する測定手段と、
前記輸送物に設けられた識別番号を示すコード情報を読み取る識別番号読取手段と、
前記輸送物に設けられ、少なくとも依頼主、送り先、物品名が文字情報として印刷されたシートの文字情報を読み取る文字読取手段と、
前記識別番号読取手段により読み取った前記識別番号と前記文字読取手段により読み取った前記文字情報と前記測定手段により測定した測定データとを表示する表示手段と、
少なくとも前記表示手段が前記識別番号と前記文字情報と前記測定データとを表示する場合、有効な情報であると判定し１つの輸送物の輸送物情報として記憶手段に記憶させ、前記表示する前記識別番号、前記文字情報、前記測定データの何れかが不足している場合、何れかのデータが不足している旨を警告する報知を行う制御手段と、
を備えたことを特徴とする輸送物情報入力装置。
【請求項２】
前記表示手段に表示される前記文字情報は、
撮像手段により撮像された画像データから得られたデータであることを特徴とする請求項１に記載の輸送物情報入力装置。
【請求項３】
前記表示手段は、前記文字情報と撮像手段により撮像された画像データとを対比できる位置に表示することを特徴とする請求項１または請求項２に記載の輸送物情報入力装置。
【請求項４】
操作手段を更に備え、
前記制御手段で不足するデータがある旨の警告が報知された後、前記操作手段で前記表示手段が表示する表示データを編集する操作が行われると、少なくとも前記表示されている前記識別番号、前記文字情報、前記測定データを１つの輸送物の輸送物情報として前記記憶手段に記憶させることを特徴とする請求項１から請求項３の何れか１項に記載の輸送物情報入力装置。
【発明の詳細な説明】
【技術分野】
【０００１】
本発明は、輸送物の管理を行うための輸送物情報を入力する輸送物情報入力装置に関する。
【背景技術】
【０００２】
例えば、依頼主より運送を依頼されたような輸送物は、以前から物品名、依頼主や送り先などが記載された荷札を付けて輸送される。そして、何らかのトラブル等があったときのために、荷札の表記内容を記載した控え、あるいは台帳を、輸送業者が保管することで、輸送物の管理を行っていた。
【０００３】
特に、輸入貨物などには、ケースマークと呼ばれるシートが貨物を収容するケースに貼り付けられ、荷札情報が印刷されている。また、一般の輸送物の荷札も、手書きではなく、印刷装置により印刷されたものが多く、見易くなっている。そして、特許文献１には、貨物測定装置で貨物の寸法や重量を測定し、また、貨物に付けられていたバーコードを読み取って、測定データとバーコードデータとをホストコンピュータに送出することが記載されている。
【先行技術文献】
【特許文献】
【０００４】
【特許文献１】特開平２−１７６５０４号公報
【発明の概要】
【発明が解決しようとする課題】
【０００５】
ところが、依頼主からは、物品名や送り先などの荷札への記載情報による問い合わせが多く、上記特許文献１の技術では、管理上、十分でないという問題があった。また、情報の種類が増えた場合には、情報を１つの輸送物に関連付けることをミスする恐れも増大するという問題もある。
【０００６】
本発明は、このような事情を考慮してなされたものであり、その目的は、輸送物に関する各種情報を１つの輸送物情報として記憶でき、これらの情報の関連付けの間違いを減少できる輸送物情報入力装置を提供することにある。
【課題を解決するための手段】
【０００７】
上述した課題を解決するために、本発明の一態様である輸送物情報入力装置は、輸送物の重量データ、あるいは寸法データを識別番号とともに輸送物情報として入力する輸送物情報入力装置において、計量皿上に設けられた縦横用センサと計量皿の奥側に立設して設けられた高さ用センサにより計量皿上に載せた直方体状の輸送物の縦、横、高さ寸法と重量を測定する測定手段と、前記輸送物に設けられた識別番号を示すコード情報を読み取る識別番号読取手段と、前記輸送物に設けられ、少なくとも依頼主、送り先、物品名が文字情報として印刷されたシートの文字情報を読み取る文字読取手段と、前記識別番号読取手段により読み取った前記識別番号と前記文字読取手段により読み取った前記文字情報と前記測定手段により測定した測定データとを表示する表示手段と、少なくとも前記表示手段が前記識別番号と前記文字情報と前記測定データとを表示する場合、有効な情報であると判定し１つの輸送物の輸送物情報として記憶手段に記憶させ、前記表示する前記識別番号、前記文字情報、前記測定データの何れかが不足している場合、何れかのデータが不足している旨を警告する報知を行う制御手段と、を備えたことを特徴とする。
上記送物情報入力装置によれば、文字読取手段により輸送物に設けられた文字情報を容易に入力でき、さらに、識別番号と測定データと文字情報とを同時に表示して確認後に１つの輸送物情報として記憶できるので、これらの情報の関連付けの間違いが減少する。
【０００８】
上記輸送物情報入力装置において、前記表示手段に表示される前記文字情報は、撮像手段により撮像された画像データから得られたデータであってもよい。
上記送物情報入力装置によれば、撮像によって簡便に文字情報を得ることができる。また、画像データから文字情報を取得する処理を制御手段で行うことで携帯端末装置の負荷を軽減でき、携帯性を活かすことができる。
【０００９】
上記送物情報入力装置において、前記表示手段は、前記文字情報と撮像手段により撮像された画像データとを対比できる位置に表示するようにしてもよい。
上記送物情報入力装置によれば、文字情報と画像データとを対比できる位置に表示するので、正しく変換されたか否かを確認することができる。
【００１０】
上記送物情報入力装置において、操作手段を更に備え、前記制御手段で不足するデータがある旨の警告が報知された後、前記操作手段で前記表示手段が表示する表示データを編集する操作が行われると、少なくとも前記表示されている前記識別番号、前記文字情報、前記測定データを１つの輸送物の輸送物情報として前記記憶手段に記憶させるようにしてもよい。
【発明の効果】
【００１１】
輸送物に関する各種情報の関連付けの間違いが減少する。
【図面の簡単な説明】
【００１２】
【図１】本発明の実施形態による輸送物情報入力装置の全体の外観を示す斜視図である。
【図２】本実施形態による輸送物情報入力装置１のシステム構成を示すブロック図である。
【図３】本実施形態による輸送物ファイルのデータ構成を示す概念図である。
【図４】本実施形態による輸送物情報入力装置に設けられたパソコン（ＰＣ）の確認画面を示す模式図である。
【図５】本実施形態による輸送物情報入力装置の動作を説明するためのフローチャートである。
【発明を実施するための形態】
【００１３】
以下、本発明の一実施形態を、図面を参照して説明する。
【００１４】
図１は、本発明の実施形態による輸送物情報入力装置の全体の外観を示す斜視図である。輸送物情報入力装置１は、主に輸入貨物等を国内運送会社の受け入れる所、例えば、配送センタに設置される。測定装置２は、計量皿３上に載せた輸送物（図示略）の重量を測定する測量部と、計量皿３上の所定位置に載せた直方体形状の輸送物の縦、横、高さ寸法を測定する寸法測定部とからなり、有効な測定値があるときは、１秒間に数回、常時、パソコン（ＰＣ）８に測定データをブルーツゥース通信により送信するようになっている。
【００１５】
ここで、寸法測定は、計量皿３上にＴ字状に設けた透明部４の下に反射型光センサ（図示略）が前後方向と左右方向にそれぞれ移動して縦横寸法を測り、さらに、計量皿３の奥側に設けた立設部５にも同様の透明部６とセンサ（図示略）を設けて高さ寸法を測定できるようになっている。但し、寸法測定は、上記に限らず、公知の技術でもよい。
【００１６】
ハンディーターミナル（ＨＴ）７は、カメラ内蔵のバーコードリーダ機能とブルーツゥースによる通信機能付きであれば、汎用のハンディーターミナルでよく、後述する操作がしやすいアプリケーションを備えたものになっている。パソコン８は、図のようなノート型がよく、測定装置２とハンディーターミナル７とからブルーツゥース通信によりデータを受信し、自身の表示器に表示できるようになっている。
【００１７】
カート１０は、キャスタ付きで移動可能になっているが、使用時は、ロックをかけて定位置で使用される。このカート１０上に測定装置２とパソコン６とを固定し、ハンディーターミナル７は着脱自在になっている。
【００１８】
図２は、本実施形態による輸送物情報入力装置１のシステム構成を示すブロック図である。パソコン８は、ハンディーターミナル７と測定装置２とからデータを無線（ブルーツゥース）で受信し、確定した輸送物情報を、ＬＡＮ（Local Area Network）を経由してホストコンピュータ（上位サーバ）２０に送信し、ホストコンピュータ２０は、自身が記憶する輸送物ファイルに追加する。
【００１９】
図３は、本実施形態による輸送物ファイルのデータ構成を示す概念図である。パソコン８とホストコンピュータ２０との記憶手段には、それぞれ同じ内容の輸送物ファイル２１が記憶されている。該輸送物ファイル２１は、輸送物情報である、バーコードデータでもある識別番号、縦・横・高さ寸法、体積、重量、文字情報等から構成されている。文字情報は、文字コード化されたデータであり、キーワード検索も可能である。
【００２０】
図４は、本実施形態による輸送物情報入力装置に設けられたパソコン（ＰＣ）の確認画面を示す模式図である。パソコン８の表示器には、識別番号（バーコード）、縦・横・高さ、体積、重量が表示される。また、文字情報として、画面の右側には、ハンディーターミナル７から受信した輸送物に設けられた、文字情報を表記したシートを撮像した画像データが表示される画像データエリア２２が設けられており、追加して受信すると、新たな画像が、直前のデータの下に表示されるようになっており、キー操作かマウス操作によりスクロール可能になっている。また、画面左側には、画像データ中から認識した文字が表示される文字認識エリア２３が設けられており、画像データエリアと同時にスクロールするようになっている。
【００２１】
図５は、本実施形態による輸送物情報入力装置の動作を説明するためのフローチャートである。ハンディーターミナル７は、バーコード読み取りのキーが操作されると、輸送物のバーコードを読み取って、このコードデータをその旨の識別記号とともにパソコン８に送信する。パソコン８は、受信データが識別番号であるか否かを識別記号により判断する（ステップＳ１）。パソコン８は、受信データが識別番号であると判断した場合（ステップＳ１：ＹＥＳ）、識別番号を表示器の画面上に、図４に示すように表示する（ステップＳ２）。そしてステップＳ１に戻る。一方、パソコン８は、受信データが識別番号でないと判断した場合（ステップＳ１：ＮＯ）、ステップＳ３に進む。
【００２２】
ステップＳ１（ＮＯ）に続いて、パソコン８は、受信データが測定データであるか否かを、識別記号により判断する（ステップＳ３）。換言すれば、パソコン８は、測定装置２から測定データを入力したか否かを判断する。なお、測定装置２は、計量皿３上の所定位置に輸送物が載せられると測定を開始し、輸送物の縦・横・高さ寸法と、それから算出する体積と重量とを、その旨を識別記号とともにパソコン８に送信する。
【００２３】
ステップＳ３において、パソコン８は、受信データが測定データであると判断した場合（ステップＳ３：ＹＥＳ）、受信した縦・横・高さ、体積と重量を、表示器の画面上に、図４に示すように表示する（ステップＳ４）。そして、ステップＳ１に戻る。一方、パソコン８は、受信データが測定データでないと判断した場合（ステップＳ３：ＮＯ）、ステップＳ５に進む。
【００２４】
ステップＳ３（ＮＯ）に続いて、パソコン８は、受信データが文字情報（輸送物情報を撮像した画像データ）であるか否かを、識別記号により判断する（ステップＳ５）。換言すれば、パソコン８は、ハンディーターミナル７から画像データを入力したか否かを判断する。なお、ハンディーターミナル７は、カメラ撮像を行う操作がなされると、輸送物に設けられた文字による輸送物情報を撮像し、画像データをその旨の識別記号とともに、パソコン８に送信する。
【００２５】
ステップＳ５において、パソコン８は、受信データが文字情報であると判断した場合（ステップＳ５：ＹＥＳ）、受信した画像データを表示器の画像データエリア２２の上から最初に空いている部分に表示し（ステップＳ６）、画像データに対し、ＯＣＲ処理を行い、文字コードに変換できた文字を、表示器の文字認証エリア２３に、対応する画像データエリア２２と同じ行の位置に対比できるように表示する（ステップＳ７）。そして、ステップＳ１に戻る。一方、パソコン８は、受信データが文字情報でないと判断した場合（ステップＳ５：ＮＯ）、ステップＳ８に進む。
【００２６】
ステップＳ５（ＮＯ）に続いて、パソコン８は、ＯＫを示すキー（例えばＯＫキー）の押下操作を受け付けたか否かを判断する（ステップＳ８）。なお、作業者は、表示内容、特に、文字が正しく変換されているか、さらに、輸送物と一致しているか等を確認し、問題がなければ、パソコン８においてＯＫキーの押下操作を行い、問題があれば、ＮＧを示すキー（例えばＮＧキー）の押下操作を行う。
【００２７】
ステップＳ８において、パソコン８は、ＯＫキーの押下操作を受け付けていないと判断した場合（ステップＳ８：ＮＯ）、即ち、ＮＧキーの押下操作を受け付けたと判断した場合、表示データを編集するための編集モードに移行させるための操作を受け付けたか否かを判断する（ステップＳ１４）。パソコン８は、上記編集モードに移行させるための操作を受け付けたと判断した場合（ステップＳ１４：ＹＥＳ）、編集モードにモード移行する。パソコン８は、編集モードにおいて、作業者の操作に応じて表示データを編集し、表示する（ステップＳ１５）。一方、パソコン８は、上記編集モードに移行させるための操作を受け付けていないと判断した場合（ステップＳ１４：ＮＯ）、ステップＳ１に戻る。
【００２８】
一方、ステップＳ８において、パソコン８は、ＯＫキーの押下操作を受け付けたと判断した場合（ステップＳ８：ＹＥＳ）、識別番号、測定データ、文字情報を全て受信して、有効な情報を表示しているか否かを判断する（ステップＳ９）。パソコン８は、例えば、識別番号、測定データ、文字情報の全てを表示している場合に、有効な情報を表示していると判断する。
【００２９】
ステップＳ９において、パソコン８は、有効な情報を表示していないと判断した場合（ステップＳ９：ＮＯ）、即ち全データを表示していない場合には、データが不足している旨を作業者に警告する（ステップＳ１２）。具体的には、パソコン８は、例えば、不足データについて、「○○のデータがありませんがよいですか？」などの警告メッセージを表示する。なお、作業者は、上記警告に対する応答として、問題がなければ、パソコン８においてＯＫキーの押下操作を行い、問題があれば、ＮＧを示すキー（例えばＮＧキー）の押下操作を行う。
【００３０】
ステップＳ１２に続いて、パソコン８は、ＯＫキーの押下操作を受け付けたか否かを判断する（ステップＳ１３）。パソコン８は、ＯＫキーの押下操作を受け付けていないと判断した場合（ステップＳ１３：ＮＯ）、即ち、ＮＧキーの押下操作を受け付けたと判断した場合、ステップＳ１に戻る。
【００３１】
一方、パソコン８は、ステップＳ９において、有効な情報を表示していると判断した場合（ステップＳ９：ＹＥＳ）、又は、ステップＳ１３において、ＯＫキーの押下操作を受け付けたと判断した場合（ステップＳ１３：ＹＥＳ）、記憶する輸送物ファイル２１に現在表示中の１つの輸送物の輸送物情報として設定し（ステップＳ１０）、さらに、新たに設定したのと同じデータを、ホストコンピュータ２０に送信する（ステップＳ１１）。そして、パソコン８は、次の輸送物の準備を行う。即ち、パソコン８は、表示器に表示中のデータを全てクリアし、ステップＳ１に戻る。
【００３２】
なお、上記フローチャートは、説明の便宜上省略したが、パソコン８が、輸送物情報入力に係る処理を終了すべき旨の命令、あるいはログアウト、電源ＯＦＦなどの命令を外部（例えば、操作者、ホストコンピュータ２０）から受け付けた場合などに終了する。
【００３３】
なお、上述した実施形態において、ハンディーターミナル７、パソコン８、測定装置２間の通信は、無線ＬＡＮや有線でもよい。パソコン８とホストコンピュータ２０間の通信は無線ＬＡＮでもよい。
【００３４】
また、本発明としての表示手段は、パソコン８に設けることに限らず、ハンディーターミナル７に設けてもよい。この場合、現物と対比できるため、表示手段の画像データエリア２３を不要にできる。
【００３５】
また、パソコン８は、輸送物情報入力装置１と一体に限らず、パソコン８のみ事務所に設置してもよい。この場合、表示手段をハンディーターミナル７の表示器と兼用するか、輸送物情報入力装置１に設け、情報確認の際のＯＫは、ハンディーターミナル７か測定装置２に設け、輸送物ファイル２１への設定を先に行い、文字コードへの変換の確認や編集作業は後でパソコン８で行うとよい。
【００３６】
また、識別番号は、バーコード形式に限らず、例えば、ＯＣＲ用文字で他の情報と離れて輸送物に表示されていれば、ＯＣＲ処理で入力してもよい。また、識別番号をＯＣＲ用文字で他の情報と区別できるように、マークなどを付けて表記したものであれば、文字情報とともに一度に撮像してもよい。
【符号の説明】
【００３７】
１…輸送物情報入力装置、２…測定装置、３…計量皿、４、６…透明部、５…立設部、７…ハンディーターミナル（ＨＴ）、８…パソコン（ＰＣ）、１０…カート、２０…ホストコンピュータ（上位サーバ）、２１…輸送物ファイル、２２…画像データエリア、２３…文字認識エリア  
【図１】
2014207009.tif 000003
【図２】
2014207009.tif 000004
【図３】
2014207009.tif 000005
【図４】
2014207009.tif 000006
【図５】
2014207009.tif 000007